(57)【要約】【課題】数多くあるネットワーク機器を関し、その電源切り忘れを防止する。【解決手段】ネットワーク管理システムは、ネットワーク２に接続された画像形成装置１０１等の共用機器を管理する。パーソナルコンピュータ２０１が管理プログラムを実行し、電源が入ったままの画像形成装置１０１をネットワーク２上で検索する。検索結果はパーソナルコンピュータ２０１の表示装置３０１に表示され、その中からユーザが選択した管理対象に対し、位置確認情報が送信される。これを受けて画像形成装置１０１では、報知音を鳴らす等の動作が行われる。【選択図】図１
2007323286.tif 000002
【特許請求の範囲】
【請求項１】
複数の機器が互いに通信可能に接続されたネットワーク環境下での共用に適した機能を有する複数の共用機器と、これら複数の共用機器との間でネットワークを介して通信を行う機能を有した電子機器とを動作させてネットワーク上の管理を行うためのネットワーク管理システムにおいて、
前記電子機器に備えられ、ネットワーク内で電源が投入された状態にあるいずれかの前記共用機器の存在を検索する検索手段と、
前記電子機器に備えられ、前記検索手段により検索された前記共用機器のうち、管理対象とするべき前記共用機器に対してネットワーク経由で所定の管理情報を送信する送信手段と
を備えたことを特徴とするネットワーク管理システム。
【請求項２】
請求項１に記載のネットワーク管理システムにおいて、
前記共用機器に備えられ、前記送信手段により送信された管理情報に基づく管理動作を実行する動作手段をさらに備えたことを特徴とするネットワーク管理システム。
【請求項３】
請求項１又は２に記載のネットワーク管理システムにおいて、
前記検索手段により行われた検索結果として、管理対象とするべき前記共用機器に関する情報を前記電子機器により表示させる表示手段をさらに有することを特徴とするネットワーク管理システム。
【請求項４】
請求項３に記載のネットワーク管理システムにおいて、
前記表示手段により表示された情報に基づき、前記電子機器に対する操作を通じて管理対象とするべき前記共用機器の選択を受け付ける選択手段をさらに有することを特徴するネットワーク管理システム。
【請求項５】
請求項２から４のいずれかに記載のネットワーク管理システムにおいて、
前記動作手段は、管理動作として報知音を出力することを特徴とするネットワーク管理システム。
【請求項６】
複数の機器が互いに通信可能に接続されたネットワーク環境下での共用に適した機能を有する複数の共用機器との間にて、ネットワークを介して通信を行う機能を有した電子機器と、
前記電子機器に備えられ、ネットワーク内で電源が投入された状態にあるいずれかの前記共用機器の存在を検索する検索手段と、
前記電子機器に備えられ、前記検索手段により検索された前記共用機器のうち、管理対象とするべき前記共用機器に対してネットワーク経由で所定の管理情報を送信する送信手段と
を備えたことを特徴とするネットワーク管理装置。
【請求項７】
請求項６に記載のネットワーク管理装置において、
前記送信手段は、前記共用機器に対して管理情報に基づく管理動作を実行すべきことを指示することを特徴とするネットワーク管理装置。
【請求項８】
請求項６又は７に記載のネットワーク管理装置において、
前記電子機器に備えられ、前記検索手段により行われた検索結果として、管理対象とするべき前記共用機器に関する情報を表示する表示手段をさらに有することを特徴とするネットワーク管理装置。
【請求項９】
請求項８に記載のネットワーク管理装置において、
前記電子機器に備えられ、前記表示手段により表示された情報に基づいて管理対象とするべき前記共用機器を選択する操作を受け付ける選択手段をさらに有することを特徴するネットワーク管理装置。
【請求項１０】
請求項７から９のいずれかに記載のネットワーク管理装置において、
前記送信手段は、前記共用機器に対して管理動作として報知音を出力するべきことを指示することを特徴とするネットワーク管理装置。
【請求項１１】
複数の機器が互いに通信可能に接続されたネットワーク環境下での共用に適した機能を有したネットワーク機器において、
ネットワークに接続された他の電子機器との間で通信を行うための通信インタフェースと、
電源が投入された状態にあるとき、前記電子機器が行う検索に対して自己を識別する識別情報を提供する情報提供手段と、
前記電子機器により行われた検索結果に基づいて前記電子機器により管理対象とするべきことを表す管理情報が送信された場合、この管理情報をネットワーク経由で受信する受信手段と、
前記受信手段により受信された管理情報に基づく管理動作を実行する動作手段とを備えたことを特徴とするネットワーク機器。
【請求項１２】
請求項１１に記載のネットワーク機器において、
前記動作手段は、管理動作として報知音を出力することを特徴とするネットワーク管理機器。
【請求項１３】
複数の機器が互いに通信可能に接続されたネットワーク環境下での共用に適した機能を有する複数の共用機器と、これら複数の共用機器との間でネットワークを介して通信を行う機能を有した電子機器とを動作させてネットワーク上の管理を行うためにコンピュータにより実行されるネットワーク管理プログラムにおいて、
前記電子機器のコンピュータに、
ネットワーク内で電源が投入された状態にあるいずれかの前記共用機器の存在を検索する検索手順と、
前記検索手順で検索された前記共用機器のうち、管理対象とするべき前記共用機器に対してネットワーク経由で所定の管理情報を送信する送信手順とを実行させるためのネットワーク管理プログラム。
【請求項１４】
請求項１３に記載のネットワーク管理プログラムにおいて、
前記共用機器のコンピュータに、前記送信手順で送信された管理情報に基づく管理動作を行わせる手順をさらに実行させるためのネットワーク管理プログラム。
【請求項１５】
請求項１３又は１４に記載のネットワーク管理プログラムにおいて、
前記電子機器のコンピュータに、前記検索手順で行われた検索結果として、管理対象とするべき前記共用機器に関する情報を前記電子機器が有する表示装置により表示させる表示手順をさらに実行させるためのネットワーク管理プログラム。
【請求項１６】
請求項１５に記載のネットワーク管理プログラムにおいて、
前記電子機器のコンピュータに、前記表示手順で表示された情報に基づき、前記電子機器に対する操作を通じて管理対象とするべき前記共用機器の選択を受け付ける選択手順をさらに実行させるためのネットワーク管理プログラム。
【請求項１７】
請求項１４から１６のいずれかに記載のネットワーク管理プログラムにおいて、
前記共用機器のコンピュータに、管理動作として報知音を出力する手順をさらに実行させるためのネットワーク管理プログラム。
【発明の詳細な説明】
【技術分野】
【０００１】
本発明は、ネットワークに接続されたネットワーク機器を管理するためのネットワーク管理システムや管理装置、ネットワーク機器、管理プログラム等に関する。
【背景技術】
【０００２】
ネットワークに接続された機器の管理を目的とした先行技術として、複数の情報機器と管理装置とを備えて構成されるネットワークシステムが知られている（特許文献１参照）。このネットワークシステムは、管理装置にて選択された情報機器に応答命令を送信することで、これを受信した情報機器においてインジケータの点灯やスピーカ等の発音、振動装置による振動といった応答動作を行わせるものである。
【０００３】
この先行技術によれば、予めユーザが意識的に選択した情報機器に対して応答を命令すると、これに応えて情報機器が何らかの動作を返すため、ネットワーク上に存在する複数の情報機器の中で、特定の情報機器が具体的にどの場所に存在しているかを容易にユーザが発見することができる。
【特許文献１】特開２００４−１７９７７４号公報（第５頁、図６）
【発明の開示】
【発明が解決しようとする課題】
【０００４】
ところで近年、ネットワークが構築された事業所内では、そこで業務を行うユーザの人数よりも多くの機器、端末等がネットワークに接続された状態で存在する。このようなネットワーク環境下では、多くのユーザにより共用される電子機器として、プリンタや複写機、複合機等のネットワーク対応機器が適宜各所にばらばらで配置されることが多い。これは、例えばフロア内でのユーザの物理的な分布にあわせて共用のネットワーク機器を分散して配置したり、事業所内でのユーザや書類等の動線を理想的に構築したりするためである。
【０００５】
このようなオフィス内のネットワーク環境においては、その終業時や業務中断時に全ての共用ネットワーク機器の電源を切った上で事業所を閉鎖する必要がある。電源の切り忘れは、言うまでもなく電力の浪費であり、管理上望ましいことではない。
【０００６】
しかしながら、フロア内の各所に分散して存在する複数の共用ネットワーク機器について、それらを一つ一つ電源が切れているかどうかユーザが確認して回ることは極めて煩雑であるし、仮にそのような手間を掛けたとしても、常に見落としが生じないとは限らない。このような状況にあっては、複数で存在する共用ネットワーク機器のうち、果たしていずれの電源が切断されていて、いずれの電源が投入されたままであるのかを人手で管理することは極めて困難である。
【０００７】
この点に関して、上述した先行技術のネットワークシステムを適用しようとしても、ユーザ自身が対象を予め意識していることが前提でなければ、システムを有効に活用することができないという不具合が生じる。すなわちユーザは、これから発見しようとする情報機器を意識しているものの、その物理的な位置がわからない場合にはじめてシステムを利用することができるのであって、ユーザがはじめから対象を想定していない場合、システムそのものを利用することができない。したがって、電源が入っている機器が具体的にどれであるかをユーザが認識できていない状況においては、先行技術の手法は何ら用をなさないことになる。
【０００８】
そこで本発明は、ネットワークに接続された複数の機器について、これらの電源投入状態を容易に管理することができるネットワーク管理技術の提供を課題としたものである。
【課題を解決するための手段】
【０００９】
上記の課題を解決するため、本発明は第１にネットワーク管理システムを提供する。また本発明は、第２にネットワーク管理装置を提供する。さらに本発明は、第３にネットワーク機器、第４にネットワーク管理プログラムをそれぞれ提供する。
【００１０】
〔ネットワーク管理システム〕
本発明のネットワーク管理システムは、ネットワーク環境下での共用に適した機能を有する複数の共用機器と、これら複数の共用機器との間でネットワークを介して通信を行う機能を有した電子機器とを動作させてネットワーク上の管理を行うものである。
【００１１】
上記のシステムに含まれる電子機器は、ネットワーク内で電源が投入された状態にあるいずれかの共用機器の存在を検索する機能と、このとき検索された共用機器のうち、管理対象とするべき共用機器に対してネットワーク経由で所定の管理情報を送信する機能とを有する。
【００１２】
〔ネットワーク管理装置〕
また本発明のネットワーク管理装置は、ネットワーク環境下での共用に適した機能を有する複数の共用機器との間でネットワーク通信を行う機能を有した電子機器を備える。この電子機器には、ネットワーク内で電源が投入された状態にあるいずれかの共用機器の存在を検索する機能と、検索された共用機器のうち、管理対象とするべき共用機器に対してネットワーク経由で所定の管理情報を送信する機能とが含まれる。
【００１３】
本発明のネットワーク管理システム又はネットワーク管理装置によれば、ネットワーク上に複数ある共用機器のうち、果たしていずれの電源が投入されているのかが不明な状況であっても、電子機器によりネットワーク上で検索をかけることで、電源が入った状態の共用機器を容易に抽出することができる。さらに検索の結果、該当する共用機器があれば、その中から管理対象とする共用機器に対して管理情報を送信することで、実際に電源が入っている共用機器に対する管理を行うことができる。
【００１４】
ネットワーク管理システムにおける実用的な構成として、共用機器は、電子機器から送信された管理情報に基づいて管理動作を実行する機能を有する態様が望ましい。この場合、共用機器の管理動作により、ユーザに対する何らかのアプローチやアピールが実現される。このため、ネットワーク内に電源が入っている共用機器が存在していることをユーザが容易に認識することができ、それによってユーザは、その共用機器の電源を切断する行動をとることができる。
【００１５】
また、管理動作が具体的に報知音を発するものであれば、離れた位置からであっても、その報知音を頼りにして管理対象となる共用機器をユーザが容易に特定することができる。
【００１６】
好ましくは、本発明のネットワーク管理システム又はネットワーク管理装置では、電子機器において行われた検索結果として、管理対象とするべき共用機器に関する情報が表示されるものとなっている。この場合、ユーザはその具体的な情報をもとにして、実際に共用機器の電源を切断する行動に移ることができる。
【００１７】
上記の表示を行う場合、その表示された情報に基づいて管理対象とするべき共用機器をユーザが選択することができる。この場合、例えば検索された共用機器が複数あったとすると、その中からユーザが管理対象とする共用機器を任意に選択し、その選択したものについてのみ管理動作を行わせることができる。
【００１８】
〔ネットワーク機器〕
本発明のネットワーク機器は、上記のネットワーク管理システムに組み込まれた共用機器に相当するものである。ネットワーク機器は、ネットワークに接続された他の電子機器との間で通信を行うための通信インタフェースを備えており、電源が投入された状態にあるとき、電子機器が行う検索に対して自己を識別する識別情報を提供する機能を有する。識別情報の提供はネットワーク経由でなされる。またネットワーク機器は、電子機器により行われた検索結果に基づいて電子機器により管理対象とするべきことを表す管理情報が送信された場合、この管理情報をネットワーク経由で受信することができる。そしてネットワーク機器は、受信された管理情報に基づく管理動作を実行する機能を有する。またネットワーク機器は、管理動作として報知音を出力することができる。
【００１９】
〔ネットワーク管理プログラム〕
本発明のネットワーク管理プログラムは、上記のネットワークシステムを構成する電子機器、共用機器（ネットワーク機器）、ネットワーク管理装置のコンピュータにより実行されるソフトウェアアプリケーションである。
【００２０】
このネットワーク管理プログラムは、電子機器のコンピュータに、ネットワーク内で電源が投入された状態にあるいずれかの共用機器の存在を検索する検索手順と、検索手順で検索された共用機器のうち、管理対象とするべき共用機器に対してネットワーク経由で所定の管理情報を送信する送信手順とを実行させるためのものである。
【００２１】
さらにネットワーク管理プログラムは、共用機器のコンピュータに、上記の送信手順で送信された管理情報に基づく管理動作を行わせる手順をさらに実行させるためのものである。
【発明の効果】
【００２２】
本発明によれば、ネットワーク内にある複数の機器について、その電源の投入状態を確実に管理することができる。特に、本発明は電源の切り忘れをなくすことで無駄な電力消費を抑えるだけでなく、ネットワーク運用上の管理や安全衛生管理に対する寄与度も多大である。
【発明を実施するための最良の形態】
【００２３】
以下、本発明のネットワーク管理システムの実施形態について説明する。
図１は、本発明の一実施形態に係るネットワーク管理システムの概略構成図である。このネットワーク管理システムは、ネットワーク機器（共用機器）の一例として画像形成装置１０１を備えており、またネットワーク管理装置（電子機器）の一例としてパーソナルコンピュータ２０１を備えている。これら画像形成装置１０１及びパーソナルコンピュータ２０１がネットワーク２に接続された状態で、本実施形態のネットワーク管理システムが構成される。
【００２４】
なお本実施形態では、１つのネットワーク管理システム内に複数台の画像形成装置１０１が含まれる態様を想定している。このため図１に示されている画像形成装置１０１は、その中の１台を例示したものに過ぎず、他にも同等の構成を有する複数台の画像形成装置がネットワーク２に接続されている。また同様に、パーソナルコンピュータ２０１についても、ネットワーク管理システム内には複数台のものが存在し、図１にはその中の１台が例示されているだけである。
【００２５】
先ず、画像形成装置１０１の構成について説明する。
画像形成装置１０１は、例えばネットワークプリンタに代表されるネットワーク機器である。プリンタとして機能するため、画像形成装置１０１は図示しないプリントエンジンを内蔵している。プリントエンジンには、図示しない感光体ドラムや帯電器、露光ユニット、トナー現像ユニット（カラープリンタである場合は中間転写ベルト）等が含まれる。さらに画像形成装置１０１には、図示しない給紙装置が付属する。
【００２６】
なお、ここではネットワークプリンタを例に挙げているが、画像形成装置１０１はネットワーク対応のデジタル複合機であってもよい。この場合、画像形成装置１０１はさらに画像読取部を備える。画像読取部には、例えばスキャナランプ及びミラーが搭載された走査光学系のほか、集光レンズ及びＣＣＤ等の光学素子が内蔵される。また画像読取部に付属して、原稿自動搬送機構（ＡＤＦ）が装備される態様であってもよい。
【００２７】
また画像形成装置１０１は、ネットワーク管理システム内で動作するための構成を有する。具体的には、通信インタフェース１０２や制御部１０３、報知装置部１１１及び解除キー１２１が画像形成装置１０１に装備されている。このうち報知装置部１１１には、さらに報知制御部１１２及びスピーカ１１３が含まれる。
【００２８】
上記の通信インタフェース１０２は、ネットワーク２に接続するための通信アダプタであり、そのドライバは例えば制御部１０３にインストールされている。制御部１０３はコンピュータとして機能する要素であり、例えばプロセッサ（ＣＰＵ）やメモリ（ＲＯＭ、ＲＡＭ等）を実装した電子回路基板の形態で画像形成装置１０１に内蔵されている。この制御部１０３は、通信インタフェース１０２による通信を制御するだけでなく、画像形成装置１０１が行う各種の処理や動作を制御する機能を有している。
【００２９】
上記の報知制御部１１２もまたコンピュータとして機能する要素である。報知制御部１１２は、それ専用のプロセッサやメモリ等を備えた回路基板として装備される態様であってもよいし、制御部１０３が保有するシステムリソースの一部を報知制御部１１２として利用する態様であってもよい。いずれにしても、報知制御部１１２は制御部１０３からの指令に基づきスピーカ１１３を駆動する機能を有している。
【００３０】
解除キー１２１は、例えば画像形成装置１０１の図示しない外装カバーや操作パネル等に設置された操作部品である。もしくは、操作パネルがその表示画面を介して操作を受け付けるタッチ式パネルである場合、その画面上に表示されたアイコンやアイテムが解除キー１２１として機能する態様であってもよい。解除キー１２１に対するユーザの操作は、報知制御部１１２にて検出されるものとなっている。
【００３１】
その他、画像形成装置１０１には電源スイッチ１１４が装備されている。電源スイッチ１１４は、例えばシーソー式（ロッカ式）や押し込み式の可動体によりユーザの操作を受け付けることができる。電源スイッチ１１４の操作に基づいて、画像形成装置１０１に電力が供給されたり、その供給が遮断されたりする。
【００３２】
次に、パーソナルコンピュータ２０１の構成を説明する。
ネットワーク管理装置となるパーソナルコンピュータ２０１には、一般に普及しているデスクトップ型ＰＣやノートブック型ＰＣを適用することができる。パーソナルコンピュータ２０１の一般的な構成例として、プロセッサ（ＣＰＵ）２０２や記憶装置２０４、通信インタフェース２０３、表示制御部２０５、入力制御部２０６等を備えたものが挙げられる。またパーソナルコンピュータ２０１には、表示装置３０１や入力装置３０２が接続されている。
【００３３】
上記の記憶装置２０４は、内蔵のハードディスクやメモリ等の記録デバイスである。また通信インタフェース２０３は、ネットワーク２に接続するための通信アダプタである。表示装置３０１はいわゆるディスプレイ、モニタに相当するハードウエアであり、表示制御部２０５はディスプレイアダプタである。また入力装置３０２はキーボード、ポインティングデバイス等に相当するハードウエアであり、入力制御部２０６はそのアダプタである。これらの構成にはいずれも公知のものを適用することができる。
【００３４】
以上がネットワーク管理システムの基本的な構成である。加えて本実施形態では、パーソナルコンピュータ２０１及び画像形成装置１０１にそれぞれインストールされたネットワーク管理プログラム（ソフトウェアアプリケーション）を各コンピュータにより実行することで、ネットワーク管理システムを以下のように動作させることができる。以下、上記のプログラムの実行に伴って行われる各種処理の詳細を説明する。また以下の説明により、ネットワーク管理システムを稼働させるプログラムの詳細が明らかとなる。
【００３５】
〔検索処理〕
図２は、ネットワーク管理システムにより最初に実行される検索処理の内容を示したフローチャートである。この検索処理は、ネットワーク管理プログラムがインストールされたパーソナルコンピュータ２０１にて実行される。
【００３６】
図２の検索処理は、ネットワーク２に接続された複数台の画像形成装置１０１の中から、電源が投入されている状態（電源ＯＮ状態）のものを検索するための一連の手順（ステップＳ１〜ステップＳ５）から構成されており、以下、ステップＳ１〜ステップＳ５の内容について、順を追って説明する。
【００３７】
ステップＳ１：前回行われた検索処理の結果が記憶装置２０４から読み出される（ステップＳ１）。すなわち、記憶装置２０４には、前回のプログラム実行時に行われた検索処理の結果が記憶されており、ここではその記憶内容が読み込まれる。なお、プログラムの実行が初回（起動時）である場合、ここでは特に記憶されている処理結果はない。
【００３８】
ステップＳ２：次に、読み出された結果が表示装置３０１に表示される。ここで表示される内容は、例えばネットワーク２上で画像形成装置１０１の個体を識別するための個体番号（「Ｎｏ．５」等）や、個体名称（「管理部用機器」等）である。
【００３９】
ステップＳ３：入力装置３０２からの検索処理の指示が受け付けられる。ここでは、入力装置３０２に対するユーザのキー操作、あるいはユーザがマウスを用いて表示装置３０１に表示されているアイコン画像や検索ボタン画像等をクリックする操作が受け付けられる。ネットワーク管理プログラムは、これらの操作がなされた場合、検索処理の指示がされたと判断する。
【００４０】
ステップＳ４：ステップＳ３で検索処理の指示が受け付けられると、次にパーソナルコンピュータ２０１の通信インタフェース２０３を通じて、ネットワーク２に接続された画像形成装置１０１のうち、電源が投入された状態にあるものが検索される。この検索は、例えばブロードキャストによる応答の呼びかけや、ｐｉｎｇ（Ｐａｃｋｅｔ  ＩＮｔｅｔｎｅｔ  Ｇｒｏｐｅｒ）の実行による個別診断により実現される。ｐｉｎｇを用いる場合、予めネットワーク２上の全ての機器のＩＰアドレスをプログラムに登録しておくことが望ましい。
【００４１】
ステップＳ５：ステップＳ４で行われた検索結果が表示装置３０１に表示される。また、あわせて検索結果が記憶装置２０４に記憶される。ここで扱われる検索結果は、例えばＩＰアドレスの形式であったり、具体的な個体名称又は個体識別符号であったりする。
【００４２】
なお、ステップＳ５では、検索の結果として電源が投入された状態にある画像形成装置１０１の台数を表示してもよい。この場合、例えば表示装置３０１には「電源ＯＮの機器がＮ台あります」といったメッセージ情報をダイアログボックスのような形式で表示することができる。
【００４３】
以上の検索処理をパーソナルコンピュータ２０１が実行すると、ネットワーク２上で電源が投入された状態の画像形成装置１０１の個体情報が収集されることになる。
【００４４】
〔選択処理〕
次に図３は、検索処理に続いてネットワーク管理システムにより実行される選択処理の内容を示したフローチャートである。この選択処理もまた、ネットワーク管理プログラムがインストールされたパーソナルコンピュータ２０１にて実行される。
【００４５】
図３の選択処理は、先の検索処理で検索された画像形成装置１０１の中から、報知音を鳴らす等の位置確認情報を送信するべき管理対象を選択する一連の手順（ステップＳ６，Ｓ７）から構成されている。
【００４６】
ステップＳ６：記憶装置２０４から読み出された検索結果が表示装置３０１に表示される。なおこの手順は、先の検索処理のステップＳ５で行われた表示内容を引き継いだものであってもよいし、改めて表示内容を再構築（ウィンドウ表示の体裁を変更する等）したものであってもよい。
【００４７】
なお検索結果の表示を行うと、パーソナルコンピュータ２０１はユーザに対する選択指示の待ち受け状態となる。ネットワーク管理システムを利用するユーザは、パーソナルコンピュータ２０１の表示装置３０１に表示された検索結果に基づき、これから位置確認を行うべき管理対象を選択することができる。
【００４８】
ユーザによる選択は、例えば入力装置３０２による管理対象番号の入力操作や、マウス等のポインティングデバイスによる管理対象番号、名称等のクリック操作によって行われる。この場合、表示画面上で選択された管理対象の表示が強調されたり、表示色が反転して表示されたり、チェックマーク（レ印）によるマーカが付加されたりする。なお図５には、ユーザの操作を受け付ける際に用いられるウィンドウ表示の例が示されている。図５に示されるように、例えば一覧から管理対象とする機器の表示をユーザが選択（クリック操作）し、最終的に「ＯＫ」を入力（クリック操作又はキー操作）することで、選択操作が完了する。なお一覧には、画像形成装置１０１の他にネットワークスキャナが例示されている。
【００４９】
ステップＳ７：入力装置３０２により選択された管理対象となる機器について、その識別情報が記憶装置２０４に保存される。ここで保存される識別情報は、上記のＩＰアドレスや個体識別符号である。また、ここで選択される管理対象は１台のみとは限らず、複数台であってもよい。
【００５０】
〔送信処理〕
次に図４は、選択処理に続いてネットワーク管理システムにより実行される送信処理の内容を示したフローチャートである。この送信処理は、ネットワーク管理プログラムがインストールされたパーソナルコンピュータ２０１及び画像形成装置１０１の双方により実行される。
【００５１】
図４の送信処理は、先の選択処理で選択された管理対象となる機器（画像形成装置１０１）に対し、報知音を鳴らす等の位置確認情報を送信する一連の手順（ステップＳ８〜ステップＳ１２）から構成されている。
【００５２】
ステップＳ８：パーソナルコンピュータ２０１において、先の選択処理で記憶装置２０４に保存された識別情報が読み出される。この読み出された識別情報をもとに、通信インタフェース２０３を介して管理対象となる機器（ここでは画像形成装置１０１）に位置確認情報（報知音を鳴らす指示）が送信される。
【００５３】
ステップＳ９：パーソナルコンピュータ２０１から送信された位置確認情報がネットワーク２を通じて画像形成装置１０１により受け取られる。画像形成装置１０１では、受け取った位置確認情報（管理情報）を制御部１０３により解析し、これに基づく管理動作として、報知音を鳴らすとの判断が行われる。この場合、制御部１０３は報知音を鳴らす指示を報知制御部１１２に与える。
【００５４】
ステップＳ１０：先の判断に基づき、報知制御部１１２によりスピーカ１１３を駆動し、報知音を鳴らす処理が行われる。これにより、選択された管理対象の機器（画像形成装置１０１）から報知音が発せられることになる。
【００５５】
ステップＳ１１：画像形成装置１０１の報知制御部１１２において、解除指定が待ち受けられた状態となる。ここでいう解除指定は、ユーザによる解除キー１２１の操作がなされることである。解除指定がなければ（Ｎｏ）、ステップＳ１０に戻って引き続き報知音を出力する処理が行われる。一方、解除指定があると（Ｙｅｓ）、次のステップＳ１２の手順に進められる。
【００５６】
ステップＳ１２：解除指定があったことを受けて、報知音の出力が停止される。なお、先のステップＳ１１では、ユーザの操作以外にも一定の時間（例えば１０秒程度）が経過したことをもって解除指定とすることもできる。
【００５７】
〔動作例〕
以上がネットワーク管理プログラムの実行に伴う各種処理の内容である。次に、ネットワーク管理プログラムの実行に伴う各種処理を、ネットワーク管理システムを主体とした動作の観点から説明する。
図６は、ネットワーク管理システムの動作例を概略的に示した図である。ネットワーク管理システムは、ユーザがパーソナルコンピュータ２０１を操作し、ネットワーク管理プログラムを実行させることで動作する。
【００５８】
先ずネットワーク管理システムは、電源が投入された状態の機器を検索し、もしも電源ＯＮ状態のものがあれば、その個体を表す識別情報をパーソナルコンピュータ２０１の表示装置３０１に表示させる。この表示をもとに、システムを利用するユーザは、システム内に電源ＯＮ状態の機器が存在するか否か、存在するとすれば台数はいくつあるか、いずれの機器が電源ＯＮ状態であるか等の情報を得ることができる。またこの段階で、ユーザは、表示された内容をもとに報知音を出力させたい対象の機器を選択することができる。
【００５９】
ユーザの選択操作を受け付けると、ネットワーク管理システムは、選択された対象の機器から報知音を出力させる。この報知音にユーザが接することで、電源ＯＮ状態の機器がどこにあるのかを容易かつ確実に把握することができる。
【００６０】
例えば、事業所のフロア内に複合機やプリンタとしての画像形成装置１０１が複数台あり、それぞれが適宜ばらばらの位置に設置されているネットワーク環境を想定する。このような環境下では、数ある画像形成装置１０１のうち、どれが電源ＯＮ状態であり、どれが電源ＯＦＦ状態であるのかを一々確認することは困難である。特に事業所の終業時や業務中断時などにおいては、担当者または管理者としてのユーザがシステム全体の電源遮断について責任を持つ必要があるが、このような場合に本実施形態のネットワーク管理システムは有効に動作する。
【００６１】
そして報知音に接したユーザは、必要があれば該当する機器の解除キー１２１を操作して報知音の出力をキャンセルすることができる。またユーザは、該当する機器の電源スイッチ１１４を操作し、その電源を切ることができる。これにより、担当者又は管理者としてのユーザは、その責務を確実に果たすことができる。また、電源の切り忘れによる無駄な待機電力の消費を抑えることができ、省電力化や排熱量の低減、安全衛生管理等について多大な寄与がもたらされる。
【００６２】
この後、最初に戻ってユーザが再びプログラムを実行させると、ネットワーク管理システムは、前回のプログラム実行時に電源ＯＮ状態として検索された結果を表示装置３０１に表示させる。次に、ユーザが改めて検索指示を行うと、システムは再検索した結果を表示装置３０１に表示させる。
【００６３】
このとき検索結果が「該当なし」であれば、ユーザはシステム内でパーソナルコンピュータ２０１を除く全ての機器（画像形成装置１０１）の電源が切られたことを容易に確認することができる。一方、検索結果としていずれかの機器が表示されていれば、ユーザは未だ電源が入ったままの機器が残っていることを容易に把握することができる。この場合、先ほどと同じくユーザは当該機器を選択し、システムの動作に伴い報知音を出力させることができる。
【００６４】
上述した本実施形態のネットワーク管理プログラム、ネットワーク管理システム、このシステム内でプログラムを実行するパーソナルコンピュータ２０１又はプログラムにより管理される画像形成装置１０１によれば、いずれかの画像形成装置１０１に電源の切り忘れなどがある場合において、当該機器をネットワーク２上で検索し、その機器から報知音を鳴らすことにより、ユーザが報知音を頼りに直接その機器の場所まで行き、電源を切ることができる。また、特に置き場所がわからない機器についても、報知音を鳴らすことでその位置を容易に特定することができ、ユーザによる発見を容易にする。
【００６５】
本発明は上述した一実施形態に制約されることなく、各種の変形や置換を伴って実施することができる。一実施形態では、画像形成装置１０１を例に挙げているが、ネットワークに接続して使用される機器であれば、画像形成装置１０１に限る必要はない。例えば、ネットワークモデム、ルータ、ハブ、サーバ等の機器について本発明の技術を適用することが可能である。
【００６６】
また、広く手動で電源切断が必要となる機器の場合、その設置場所がわかりにくいものについて本発明は特に有効である。例えば、パソコンであればリモートで電源を切断（シャットダウン）することも可能であるが、作業途中のファイル等を保存せずにむやみに終了させることは適切でないため、電源を落とす前にユーザによる直接的な確認が必要となる。このような場合であっても、広いオフィス等では、電源の切り忘れがあるパソコンを発見する際に本発明は有効である。
【００６７】
また一実施形態では、管理対象の画像形成装置１０１から報知音を出力させる例を挙げているが、報知音とは別に発光器による発光動作を行わせたり、振動体を用いて機器に振動を起こさせたりする態様（又はこれらの組み合わせ）であってもよい。
【００６８】
また、一実施形態で挙げた画像形成装置１０１やパーソナルコンピュータ２０１の構成はいずれも好ましい例示であり、これらを適宜変形して実施可能であることはいうまでもない。
【図面の簡単な説明】
【００６９】
【図１】一実施形態に係るネットワーク管理システムの概略構成図である。
【図２】ネットワーク管理システムにより最初に実行される検索処理の内容を示したフローチャートである。
【図３】検索処理に続いてネットワーク管理システムにより実行される選択処理の内容を示したフローチャートである。
【図４】選択処理に続いてネットワーク管理システムにより実行される送信処理の内容を示したフローチャートである。
【図５】ユーザの操作を受け付ける際に用いられるウィンドウ表示の一例である。
【図６】ネットワーク管理システムの動作例を概略的に示した図である。
【符号の説明】
【００７０】
２    ネットワーク
１０１    画像形成装置
１０２    通信インタフェース
１０３    制御部
１１１    報知装置部
１１２    報知制御部
１１３    スピーカ
１１４    電源スイッチ
２０１    パーソナルコンピュータ
２０２    プロセッサ
２０３    通信インタフェース
２０４    記憶装置
２０５    表示制御部
２０６    入力制御部
３０１    表示装置
３０２    入力装置
【図１】
2007323286.tif 000003
【図２】
2007323286.tif 000004
【図３】
2007323286.tif 000005
【図４】
2007323286.tif 000006
【図５】
2007323286.tif 000007
【図６】
2007323286.tif 000008